(57)【要約】【課題】  施工性がよく、冷蔵庫や冷蔵倉庫、または低温倉庫などで庫内の温度を保ち、湿度が維持され保存物から水分が奪われにくい断熱パネルを提供する。【解決手段】  一方の端部にコネクタ部１２を備え、熱交換用流体の供給用及び戻り用の各メインパイプ１４間に接続された複数の細い熱交換パイプ１６を有したパイプユニット１８を備える。パイプユニット１８に積層され各メインパイプ１４が一方の端部に設けられた断熱材２２と、少なくともパイプユニット１８側に設けられた表面板２０を一体的に備えて成る。各メインパイプ１４に接続される連結コネクタ４０を有し熱交換用流体の供給用及び戻り用の各主配管３８と、各主配管３８を内蔵しパネル体１１を複数枚並べて連結する結合部材３６を備える。複数のパネル体１１の各メインパイプ１４に設けられた各コネクタ部１２と結合部材３６の連結コネクタ４０を接続させる管継手３４とを設ける。【選択図】図１
2007040652.tif 000002
【特許請求の範囲】
【請求項１】
一方の端部にコネクタ部を備え熱交換用流体の供給用及び戻り用の各メインパイプを有し、この各メインパイプ間に接続され連通した複数の細い熱交換パイプからなるパイプユニットと、このパイプユニットに積層され前記各メインパイプが一方の端部に設けられた断熱材と、少なくとも前記パイプユニット側に設けられた表面板とを一体的に備えて成るパネル体を備え、前記各メインパイプに接続される連結コネクタを有し熱交換用流体の供給用及び戻り用の各主配管と、この各主配管を内蔵し前記パネル体を複数枚並べて連結する結合部材と、複数の前記パネル体の各メインパイプに設けられた前記各コネクタ部と前記結合部材の連結コネクタを接続させる管継手とを設け、前記管継手の両端部には、伸縮及び揺動のうちの少なくとも一方が可能に形成された連結部をそれぞれ備えたことを特徴とする断熱パネル。
【請求項２】
前記パネルの表面板の裏側に設けられ冷却用の熱交換用流体を流通させる前記パイプユニットと、この冷却用パイプユニットに対して、前記断熱材を挟んで反対側に加温用の熱交換用流体を流通させるパイプユニットを備えたことを特徴とする請求項１記載の断熱パネル。
【請求項３】
一方の端部にコネクタ部を備え熱交換用流体の供給用及び戻り用の各メインパイプを有し、この各メインパイプ間に接続され連通した複数の細い熱交換パイプからなるパイプユニットと、このパイプユニットに積層され前記各メインパイプが一方の端部に設けられた断熱材と、少なくとも前記パイプユニット側に設けられた表面板とを一体的に備えて成るパネル体を複数枚並べて、前記各メインパイプに接続される連結コネクタを有し熱交換用流体の供給用及び戻り用の各主配管を内蔵した結合部材を、前記複数の前記パネル体のメインパイプの上方に位置させ、前記各メインパイプに設けられた各コネクタ部と前記結合部材の連結コネクタを、伸縮及び揺動のうちの少なくとも一方が可能に形成された管継手により連結して、前記複数枚のパネル体を一体に結合することを特徴とする断熱パネルの組立方法。
【発明の詳細な説明】
【技術分野】
【０００１】
この発明は、冷蔵倉庫や低温倉庫などの庫内の壁、天井、床に使用され、放熱面を形成する断熱パネルとその組立方法に関する。
【背景技術】
【０００２】
従来、冷蔵倉庫または低温倉庫、環境実験室やクリーンルームの壁、倉庫の一角をパーテーション等で仕切られ構築された冷蔵庫や冷凍庫など、保温を必要とする部屋の壁材及び天井材、床材などには、構造材や板材と断熱材を一体化させ形成された断熱パネルが用いられている。そして、冷蔵倉庫や低温倉庫の庫内を低温に維持するため、庫内温度よりも低い低温に冷やされた空気を庫内に吹き出して、低温を維持している。
【０００３】
また、家屋の暖房には、温水などを床の熱交換パイプに循環させて暖房を行う床暖房が知られている。この床暖房等に用いられるパネルでは、特許文献１に開示されるように、断熱材と熱交換パイプを一体化した熱交換パネルが知られている。また、特許文献２では、断熱材に用いた発泡スチロールに溝を設け、熱交換パイプを嵌め込み一体化して成る熱交換パネルの製造方法が開示されている。そのほか、特許文献３には、床または畳暖房に用いるパネル本体に熱交換用のパイプマットを設け、断熱材を充填して成る床または畳暖房パネルが開示されている。
【特許文献１】特開２００１−１２４３５３号公報
【特許文献２】特開２００２−１１５９８９号公報
【特許文献３】特開２０００−３４６３８１号公報
【発明の開示】
【発明が解決しようとする課題】
【０００４】
上記従来の技術の前者の場合、冷蔵倉庫や低温倉庫の庫内を設定した低温に維持するため、庫内温度よりも低く冷やされた空気が庫内に吹き出されている。その際、庫内の空気中の水分は、空気を冷やす時の大幅の温度低下により凝縮し、庫内へ送られる空気の湿度が低下し、この湿度が低下した空気が庫内へ送風されるため、保存物の水分が奪われてしまう問題があった。また、環境実験室やクリーンルームの場合、温度や湿度が過度に調整された空気が室内に強制的に循環するので、その気流により部分的に温度や湿度の均一性が崩れ悪影響を受けるという問題があった。
【０００５】
一方、特許文献１及び特許文献２に開示された熱交換パネルを、壁面及び床に取り付けて、温水または冷水などの熱交換用流体を循環させて行う冷房や暖房が知られている。しかし、冷蔵倉庫や低温倉庫に取り付けるには、パネルを取り付ける構造材を構築し設ける必要があり、施工性が良くないほか、コストもかかるものであった。また、特許文献３に開示された畳または床暖房用パネルも、倉庫の床に取り付けるには、パネルを固定する床に変わる構造材を設ける必要があるほか、壁にもパネルを固定する壁構造材が必要であり、表面材も必要であるため、施工性が良くないうえ、コストもかかるものであった。
【０００６】
この発明は、上記従来技術の問題に鑑みて成されたもので、施工性がよく、冷蔵庫や冷蔵倉庫、または低温倉庫などで庫内の温度を保ち、湿度が維持され保存物から水分が奪われにくい断熱パネルとその組立方法を提供することを目的とする。
【課題を解決するための手段】
【０００７】
この発明は、一方の端部にコネクタ部を備え熱交換用流体の供給用及び戻り用の各メインパイプを有し、この各メインパイプ間に接続され連通した複数の細い熱交換パイプからなるパイプユニットと、このパイプユニットに積層され前記各メインパイプが一方の端部に設けられた断熱材と、少なくとも前記パイプユニット側に設けられた表面板とを一体的に備えて成るパネル体を備え、前記各メインパイプに接続される連結コネクタを有し熱交換用流体の供給用及び戻り用の各主配管と、この各主配管を内蔵し前記パネル体を複数枚並べて連結する結合部材と、複数の前記パネル体の各メインパイプに設けられた前記各コネクタ部と前記結合部材の連結コネクタを接続させる管継手とを設け、前記管継手の両端部には、伸縮及び揺動のうちの少なくとも一方が可能に形成された連結部をそれぞれ備えた断熱パネルである。
【０００８】
またこの発明の断熱パネルは、前記パネルの表面板の裏側に設けられ冷却用の熱交換用流体を流通させる前記パイプユニットと、この冷却用パイプユニットに対して、前記断熱材を挟んで反対側に加温用の熱交換用流体を流通させるパイプユニットを備え、前記パネルの表面板表面の結露防止機能を有するものでも良い。
【０００９】
またこの発明は、一方の端部にコネクタ部を備え熱交換用流体の供給用及び戻り用の各メインパイプを有し、この各メインパイプ間に接続され連通した複数の細い熱交換パイプからなるパイプユニットと、このパイプユニットに積層され前記各メインパイプが一方の端部に設けられた断熱材と、少なくとも前記パイプユニット側に設けられた表面板とを一体的に備えて成るパネル体を複数枚並べて、前記各メインパイプに接続される連結コネクタを有し熱交換用流体の供給用及び戻り用の各主配管を内蔵した結合部材を、前記複数の前記パネル体のメインパイプの上方に位置させ、前記各メインパイプに設けられた各コネクタ部と前記結合部材の連結コネクタを、伸縮及び揺動のうちの少なくとも一方が可能に形成された管継手により連結して、前記複数枚のパネル体を一体に結合する断熱パネルの組立方法である。
【発明の効果】
【００１０】
この発明の断熱パネルとその組立方法によれば、パイプユニットを取り付け、断熱材を設けて形成されたパネル体を複数連接し、結合部材により複数のパネル体を一体に結合させるため、組み立てが容易で、施工性がよいものである。そして、強制的な気流循環を利用することなく、貯蔵する庫内の温度を一定に保ち、湿度が維持されるため、気流により保存物から水分が奪われることが少なく、良好に保存可能なものである。
【００１１】
また、パネル体の外側に位置した表面板の裏側に、温水を流通させるパイプユニットを設けることにより、表面板の表側に結露が発生し難いものである。
【発明を実施するための最良の形態】
【００１２】
以下、この発明の断熱パネルの一実施形態について、図１〜図３を基にして説明する。この実施形態の断熱パネル１０は、冷蔵倉庫や低温倉庫などの壁面や天井、床など、保温保冷が必要な倉庫の断熱パネル１０として使用される。
【００１３】
この実施形態の断熱パネル１０には、図１に示すように、一方の端部にコネクタ部１２が設けられた供給用及び戻り用の各メインパイプ１４が、断熱パネル１０の施工状態での上端縁部に設けられている。供給用及び戻り用の各メインパイプ１４は、この断熱パネル１０を構成する一枚のパネル体１１の短辺である上端縁部の長さの約１／２に形成され、上端縁の中央部で互いに端部が対向し、その端部が閉塞され、他端部にコネクタ部１２が取り付けられている。供給用及び戻り用の各メインパイプ１４間には、メインパイプ１４間で大きくＵ字状を成す様に配置された複数の細い可撓性熱交換パイプ１６が接続されている。なお、供給用及び戻り用のメインパイプ１４は、１本のパイプの中間位置に隔壁を設けて、両端部にコネクタ部１２を取り付けたものでも良い。
【００１４】
熱交換パイプ１６は、例えば、３０ｍｍピッチで多数本配置され、Ｕ字状に形成された下端部は、パネル体１１のメインパイプ１４が位置した辺とは反対側である下端縁近傍に達している。そして、供給用及び戻り用の各メインパイプ１４と熱交換パイプ１６とにより一つのパイプユニット１８が形成され、供給用メインパイプ１４から戻り用メインパイプ１４へ水やエチレングリコール等の熱交換用流体が流通可能に形成されている。
【００１５】
このパイプユニット１８は、図２に示すように、パネル体１１の両面を形成する積層鋼板などの表面板２０の一方の裏面側に接して設けられている。表面板２０間には、硬質ポリウレタンフォームなどから形成された断熱材２２が充填され、組み立て状態で上方に各メインパイプ１４が位置するように形成されている。そして、埋設されたパイプユニット１８の各メインパイプ１４のコネクタ部１２は、パネル体１１の上方に開口し、開口方向に一致するように、断熱材２２およびパネル体１１の上端縁に開口部２４が形成されている。また、表面板２０に用いられる積層鋼板の内側面は、例えば、亜鉛メッキ、化学処理、裏面防錆塗装が積層状に施され、露出側面には、亜鉛メッキ、化学処理、プライマー塗装、抗菌・防かび塗装が積層状に施されている。なお、表側の表面板２０は、なくても良く他の樹脂材料でも良い。
【００１６】
さらに、パネル体１１の一側面には、図２に示すように、長手方向に沿って中央に凹部２６が設けられた枠材２８が、両面の表面板２０に嵌合し取り付けられている。また、凹部２６が設けられた側面と対向する側面には、凹部２６に嵌合する凸部２７が長手方向に沿って形成された枠材２９が取り付けられている。枠材２８，２８は、硬質塩ビ樹脂等により成形され、表面板２０間に熱橋が形成されないようにしている。
【００１７】
パネル体１１の上端縁に設けられた開口部２４に位置するコネクタ部１２には、管継手３４が連結される。管継手３４は、図３（ａ）に示すように、中央本体３０の両端に細い連結部３１，３２が各々設けられ、一方の連結部３２がコネクタ部１２に挿嵌可能に設けられている。そして、もう一方の連結部３１は、図１に示すように、鋼板などで柱状に形成された結合部材３６に連結可能に形成されている。管継手３４の連結部３１は、結合部材３６に内蔵された供給用及び戻り用の各主配管３８の連結コネクタ４０に接続される。
【００１８】
この管継手３４は、図３（ｂ）に示すように、中央本体３０に径が大小の筒体が組み合わせて挿通され、液密状態で伸縮自在に形成されている。また、図３（ｃ）に示すように両側の連結部３１，３２は液密状態で揺動可能に中央本体３０を形成する筒体にそれぞれ設けられている。さらに、両側各々の連結部３１，３２の外周には、凹溝が設けられ、その溝にはそれぞれ、例えば、コネクタ部１２及び連結コネクタ４０に内蔵される図示しないコレットが係合する。また、コネクタ部１２及び連結コネクタ４０の内部には、図示しないシール材やシリコーンゴム製Ｏリングなどが取り付けられ、連結の際、各々の連結部３１，３２と液密状態で密着可能に形成されている。
【００１９】
結合部材３６は、パネル体１１の各メインパイプ１４が設けられた短辺の長さの整数倍の長さに形成され、結合部材３６内に内蔵された供給用及び戻り用の各主配管３８には、複数の連結コネクタ４０が設けられている。さらに、結合部材３６内には、パネル体１１の角部に設けられた固定突起４２が嵌合し固定される嵌合受け部４４が、パネル体１１の幅に合わせて所定ピッチで設けられている。そして、管継手３４を介し複数のパネル体１１の各コネクタ部１２と結合部材３６が連結し、側面の枠材２８，２９間にはシール剤を塗布して凹部２６、凸部２７を嵌合させ、複数のパネル体１１同士を一列に並べて断熱パネル１０を形成する。断熱パネル１０の底部には、底部受け４６が嵌合し、複数枚のパネル体１１がより強固に一体化される。
【００２０】
この実施形態の断熱パネル１０の組立方法は、パネル体１１を複数枚並べて、結合部材３６をパネル体１１のメインパイプ１４の上方に位置させ、各メインパイプ１４に設けられた各コネクタ部１２と結合部材３６の連結コネクタ４０を管継手３４により連結する。このとき、管継手３４は、連結部３１，３２が伸縮自在であり、揺動可能であるためパネル体１１を結合部材３６に対して斜め下方に位置させて、連結部３１，３２を各々コネクタ部１２と連結コネクタ４０に接続することができる。この後、連結部３１，３２を縮めてパネル体１１を整列させる。そして、底部受け４６に複数枚のパネル体１１を嵌合させ一体化する。
【００２１】
この実施形態の断熱パネル１０によれば、断熱材２２にパイプユニット１８を重ねた構造として、断熱材２２の表裏に表面板２０を位置させたパネル体１１を複数枚設け、管継手３４を介して結合部材３６により複数枚を一体に結合させ、天井、壁、床等にそれぞれに冷却面を形成できるため、組み立てが容易で、施工性がよいものである。また、管継手３４が伸縮揺動自在なため、パネル体１１を結合部材３６に結合させる際に、容易に組み付け及び位置決めでき、作業効率がよいものである。さらに、パネル体１１を連結した状態で自立させることも可能であり、仮固定用の部材が不要となり、施工性がよい。そして、それぞれのパネル体１１のパイプユニット１８に、例えば氷点下に冷却したエチレングリコールを循環させるだけで容易に冷蔵庫を構築可能なものである。さらに、冷蔵倉庫や低温倉庫など保存物を冷蔵保存する庫内の天井や壁、床などすべての面に取付可能であり、面により冷やすことが可能で、庫内の温度も一定になり、湿度についても空気の冷やしすぎにより発生する水分の凝縮がないので、湿度の低下がなく適度の湿度を維持することができるものである。
【００２２】
なお、この発明の断熱パネルは、上記実施形態に限らず、変形例として図４に示すように、例えば、冷却液を流通させた冷却側の表面板２０に接する状態のパイプユニット１８と、断熱材２２を隔てた反対の外側の表面板２０に接した熱交換パイプ１６のパイプユニット１９を設け、このパイプユニット１９に温水などの熱交換用流体を流通させるようにしても良い。これにより、外側の表面板２０が暖められ、表面板２０表面の結露を防止する効果が得られ、結露の発生を防止することができる。なお、結露の防止として温水などの熱交換用流体を流通させるパイプユニットの代わりに、ヒーターを設けても、同様の効果が得られるものであり、適宜選択可能である。
【００２３】
また、この発明の断熱パネルは上記実施形態に限定されるものではなく、断熱材に貼り付け可能で、断熱材と一体に形成可能であればよいため、表面板の素材は、鉄またはアルミニウム、ステンレス、樹脂またはこれらの積層板など、適宜選択可能なものである。さらに、断熱材は、断熱材を挟む２枚の表面板の間を断熱できれば、素材や形状など適宜変更可能なものである。
【００２４】
また、管継手の両端部は、伸縮及び揺動のうちの少なくとも一方が可能に形成された連結部をそれぞれ備えたものであればよい。その他、枠材中央の凹部は、結合部材により複数のパネルを結合する際に、他のパネルの側面と嵌合可能であれば、形状や素材など適宜選択可能なものである。
【図面の簡単な説明】
【００２５】
【図１】この発明の一実施形態の断熱パネルと、その複数の断熱パネルを結合させる結合部材示す概略断面図である。
【図２】この実施形態の断熱パネルを示す部分断面図である。
【図３】この実施形態の管継手の概略正面図（ａ）と、縮んだ状態を表す概略正面図（ｂ）と、両側の連結部の揺動状態を表す概略正面図（ｃ）である。
【図４】この実施形態の断熱パネルの変形例を示す部分断面図である。
【符号の説明】
【００２６】
１０  断熱パネル
１１  パネル体
１２  コネクタ部
１４  メインパイプ
１６  熱交換パイプ
１８  パイプユニット
２２  断熱材
３１，３２  連結部
３４  管継手
３６  結合部材
３８  主配管
４０  連結コネクタ
【図１】
2007040652.tif 000003
【図２】
2007040652.tif 000004
【図３】
2007040652.tif 000005
【図４】
2007040652.tif 000006